(57)【要約】【課題】画像に関連付ける項目情報を、簡単にＥｘｉｆファイルに登録することが可能なデジタルカメラ装置を提供すること。【解決手段】本発明に係るデジタルカメラ装置は、画像データの分類・整理に用いられる複数の項目情報を情報ファイルとして記録する記録手段１２と、音声入力を行うためのマイクロフォン１３と、マイクロフォン１３で取得された音声より発言内容を解読する音声解読手段１４、１５と、解読された発言内容に類似する項目情報を情報ファイルより抽出する項目情報抽出手段１５と、項目情報抽出手段１５により抽出された項目情報を画像データのＥｘｉｆファイルに登録させる項目情報登録手段１５とを備えている。【選択図】  図１
2004289309.tif 000002
【特許請求の範囲】
【請求項１】
画像データの分類・整理に用いられる複数の項目情報を情報ファイルとして記録する記録手段と、
音声入力を行うためのマイクロフォンと、
該マイクロフォンで取得された音声より発言内容を解読する音声解読手段と、
解読された発言内容に類似する前記項目情報を前記情報ファイルより抽出する項目情報抽出手段と、
該項目情報抽出手段により抽出された項目情報を前記画像データのＥｘｉｆファイルに登録させる項目情報登録手段と、
を備えたことを特徴とするデジタルカメラ装置。
【請求項２】
前記項目情報抽出手段により抽出された前記項目情報の確定を行う項目情報確定手段を備え、
前記項目情報登録手段は、前記項目情報確定手段により確定された項目を前記Ｅｘｉｆファイルに登録させることを特徴とする請求項１に記載のデジタルカメラ装置。
【請求項３】
前記項目情報確定手段は、レリーズがトリガされたときに前記項目情報を確定することを特徴とする請求項２に記載のデジタルカメラ装置。
【請求項４】
前記項目情報抽出手段によって類似する前記項目情報が複数抽出される場合に、前記項目情報確定手段で確定するための項目情報を複数の前記項目情報より選択する項目情報選択手段を備えることを特徴とする請求項２または請求項３に記載のデジタルカメラ装置。
【請求項５】
前記項目情報選択手段は、前記音声解読手段により解読された発言内容に基づいて前記項目情報の選択を行うことを特徴とする請求項４に記載のデジタルカメラ装置。
【請求項６】
前記マイクロフォンによる音声入力処理のオン・オフを制御する音声入力制御手段を備え、該音声入力手段は特定のキーのオン・オフに連動させて前記音声入力処理のオン・オフの制御を行うことを特徴とする請求項１乃至請求項５のいずれか１項に記載のデジタルカメラ装置。
【発明の詳細な説明】
【０００１】
【発明の属する技術分野】
本発明はデジタルカメラ装置に関し、より詳細には、画像データの分類・整理に用いられる情報を画像データのＥｘｉｆファイルに登録させることが可能なデジタルカメラ装置に関する。
【０００２】
【従来の技術】
デジタルカメラでは、一枚の記録媒体（例えば、スマートメディアやコンパクトフラッシュ（登録商標）等）に多くの画像（画像データ）を記録することができ、さらに不要な画像をすぐに削除することができるため、従来の銀塩カメラよりも多くの画像を撮影することが多い。
【０００３】
しかしながら、撮影された画像の分類・整理の作業は、撮影枚数が多くなればなるほど煩雑な作業であるため、画像整理を簡易に行う方法が望まれている。その方法として、例えば、画像データにテキストデータや音声データ等の項目情報を関連付けし、関連付けられた項目情報に基づいて自動的に画像の分類・整理を行う方法が提案されている。
【０００４】
画像に項目情報を関連付ける方法としては、ＰＣ上で予め作成した項目情報リストをデジタルカメラに取り込んで、撮影時に項目情報リストから特定の項目情報を選択して関連付けを行う方法（例えば、特許文献１及び非特許文献１参照）や、デジタルカメラの液晶モニタ部にソフトウェアキーボードを表示し、タッチ処理によりにキー入力を行って作成した項目情報を、撮影時にＥｘｉｆファイルに取り込む方法等が提案されている。また、ソフトウェアキーボードによる入力操作は煩雑であることから、定型句を外部メモリや内蔵メモリに事前に項目情報を登録しておき、タッチパネル操作やキー操作を用いて選択する方式も考えられている。（例えば、特許文献２参照）。
【０００５】
【特許文献１】
特願２００２−２６５０１１号
【非特許文献１】
リコー製デジタルカメラＲＤＣ−ｉ７００使用取扱書
【特許文献２】
特願２００２−２０５６１４１号
【０００６】
【発明が解決しようとする課題】
しかしながら、屋外で撮影を行う場合、撮影時に項目情報の関連付け作業を行うことが煩雑であるためさらなる操作性の向上が望まれており、キー入力処理を一層低減させてより簡単に項目情報を画像データに関連付けさせる方法が望まれている。
【０００７】
本発明では上記の問題に鑑みて為されたものであり、画像に関連付ける項目情報を、簡単にＥｘｉｆファイルに取り込むことが可能なデジタルカメラ装置を提供することを目的とする。
【０００８】
【課題を解決するための手段】
上記目的を達成するために、請求項１に係る発明は、画像データの分類・整理に用いられる複数の項目情報を情報ファイルとして記録する記録手段と、音声入力を行うためのマイクロフォンと、該マイクロフォンで取得された音声より発言内容を解読する音声解読手段と、解読された発言内容に類似する前記項目情報を前記情報ファイルより抽出する項目情報抽出手段と、該項目情報抽出手段により抽出された項目情報を前記画像データのＥｘｉｆファイルに登録させる項目情報登録手段とを備えたデジタルカメラ装置であることを特徴とする。
【０００９】
請求項２に係る発明は、請求項１に記載のデジタルカメラ装置において、前記項目情報抽出手段により抽出された前記項目情報の確定を行う項目情報確定手段を備え、前記項目情報登録手段は、前記項目情報確定手段により確定された項目を前記Ｅｘｉｆファイルに登録させることを特徴とする。
【００１０】
請求項３に係る発明は、請求項２に記載のデジタルカメラ装置において、前記項目情報確定手段はレリーズがトリガされたときに前記項目情報を確定することを特徴とする。
【００１１】
請求項４に係る発明は、請求項２または請求項３に記載のデジタルカメラ装置において、前記項目情報抽出手段によって類似する前記項目情報が複数抽出される場合に、前記項目情報確定手段で確定するための項目情報を複数の前記項目情報より選択する項目情報選択手段を備えることを特徴とする。
【００１２】
請求項５に係る発明は、請求項４に記載のデジタルカメラ装置において、前記項目情報選択手段は、前記音声解読手段により解読された発言内容に基づいて前記項目情報の選択を行うことを特徴とする。
【００１３】
請求項６に係る発明は、請求項１乃至請求項５のいずれか１項に記載のデジタルカメラ装置において、前記マイクロフォンによる音声入力処理のオン・オフを制御する音声入力制御手段を備え、該音声入力手段は特定のキーのオン・オフに連動させて前記音声入力処理のオン・オフの制御を行うことを特徴とする。
【００１４】
請求項１に記載の発明により、音声入力によって項目情報を抽出し、Ｅｘｉｆファイルに登録させることができるの、キー入力等の操作を低減させることができ、より簡単な操作で画像データに項目情報を関連付けることが可能となる。
【００１５】
請求項２に記載の発明により、抽出された項目情報より分類・整理に適した項目情報を確実にＥｘｉｆファイルに登録することができるので、分類・整理作業をより効率的に行うことが可能となる。
【００１６】
また、請求項３に記載の発明により、撮影時にレリーズのトリガにより情報項目の確定が行えるので、撮影の際に撮影対象を確認しながら関連付けが行われる項目情報を確定することが可能となる。
【００１７】
さらに、請求項４に記載の発明により、前記項目情報抽出手段によって類似する前記項目情報が複数抽出される場合には、希望する項目情報をより簡単に選択し特定することが可能となる。とくに、請求項５に記載の発明により、音声入力により希望する項目情報を選択し特定することが可能となるので、キーによる操作を一層低減させることができ、操作性の向上を図ることが可能となる。
【００１８】
また、請求項６に記載の発明により、音声入力処理によって意図しない項目情報が選択されてＥｘｉｆファイルに登録される事態を回避することが可能となる。
【００１９】
【発明の実施の形態】
以下、図面を用いて本発明に係るデジタルカメラ装置について説明する。
【００２０】
図１は、本発明に係るデジタルカメラ１の基本構成を示したブロック図である。デジタルカメラ１は、撮像デバイス（ＣＣＤ）２と、画像Ａ−Ｄ変換器３と、デジタル信号処理部４と、圧縮／伸張処理部５と、フレームメモリ６と、画像用Ｄ−Ａ変換器７と、画像出力端子８と、表示制御部９と、液晶モニタ部１０と、メモリ制御部１１と、外部メモリ１２とを備えている。
【００２１】
デジタルカメラ１により撮像処理が開始されると、入力された画像は，撮像デバイス２により電気信号に変換されてから、画像用Ａ−Ｄ変換器３により８ビット（２５６階調）〜１２ビット（４０９６階調）でデジタル信号に変換されてデジタル信号処理部４へ出力される。
【００２２】
デジタル信号処理部４では、オートフォーカス（ＡＦ）、自動絞り制御（ＡＥ）、オートホワイトバランス（ＡＷＢ）等に必要な測光演算が行われるとともに、解像度ならびに色再現性を高める為に輝度と色の信号処理が行われる。
【００２３】
圧縮／伸張処理部５は、デジタル信号処理部４において信号処理が行われた画像データを、フレームメモリ６を用いて必要なデータ形式に圧縮する。符号化・圧縮された画像データは、メモリ制御部１１を介して外部メモリ（外部記憶装置）１２に記録される。
【００２４】
外部メモリ１２に記録された画像データを再生する場合、圧縮／伸張処理部５は、フレームメモリ６を用いて画像データを伸張し、デジタル信号処理部４は画像データをラスターデータに変換する。デジタル信号処理部４で信号処理された画像データは、画像用Ｄ−Ａ変換器７でアナログデータ化されて画像出力端子８へ出力され、また、表示制御部９を介して液晶モニタ部１０に表示される。
【００２５】
さらに、本発明に係るデジタルカメラ１には、マイク（マイクロフォン）１３と、音声用Ａ−Ｄ変換器１４と、ＣＰＵ１５と、バスアービター１６と、タッチパネル１７と、プログラムＲＯＭ１８と、ワークメモリ１９と、ＰＣインターフェイス制御部２０とを備えている。
【００２６】
マイク１３から入力された音声は、音声用Ａ−Ｄ変換器１２で８〜１６ＫＨｚ／１６ｂｉｔサンプリングでデジタル信号化されてデジタル信号処理部４へ出力される。通常録音の場合、デジタル信号化された音声データは、デジタル信号処理部４及び圧縮／伸張処理部５で外部メモリ１２への記録、ならびに図示を省略したスピーカからの再生に必要なデータ形式に圧縮処理または伸張処理される。後述する音声認識を行う場合、音声データはワークメモリ１９に展開される。ＣＰＵ１５はワークメモリ１９に展開された音声データ（発言内容）を解析して、予め外部メモリ１２又は内蔵メモリに格納された情報ファイルに記録されるデータ内容（項目情報：定型句データ）との比較を行い、音声データの内容（発言内容）に最も類似性の高いものから順に項目情報を液晶モニタ部１０に出力する。ユーザは、液晶モニタ部１０に表示された項目情報から、例えばレリーズ操作や図示を省略する十字キーによるキー操作等を行うことによって、又は音声による項目選択を行うことによって特定の項目情報を決定する。決定された情報データの項目情報は、撮影時に作成されるＥｘｉｆファイル（Ｅｘｉｆファイルについては後述する。）に登録される。
【００２７】
ＣＰＵ１５は、プログラムＲＯＭ１８に記録される処理プログラムに基づいて、外部メモリ１１とのデータ伝送処理、情報ファイルの項目選択処理、Ｅｘｉｆファイルへの項目情報の登録処理等の制御を行う。
【００２８】
なお、ＰＣインターフェイス制御部２０は、ＵＳＢ（Ｕｎｉｖｅｒｓａｌ  Ｓｅｒｉａｌ  Ｂｕｓ）ケーブル等を用いてＰＣとのデータ通信を行う際に用いられるものであり、バスアービター１６は、バスに複数のマスタが存在する場合に、それぞれのマスタに使用権を割り当てるための調停処理を行うものである。
【００２９】
デジタルカメラ１において、外部メモリ１２に画像データを記憶する際に用いられるファイルシステム形式は，ＤＣＦ（Ｄｅｓｉｇｎ  ｒｕｌｅ  ｆｏｒ  Ｃａｍｅｒａ  Ｆｉｌｅ  ｓｙｓｔｅｍ）に準じて構成されている。ＤＣＦとはデジタルスチルカメラのファイルシステム規格であり、日本電子工業振興協会（電子協）が１９９９年１月に策定したものである。
【００３０】
外部メモリ１２に記録される情報ファイルは、画像データが記録されるＤＣＩＭディレクトリと同じ階層に設けられたＴＥＭＰＬＡＴＥフォルダ内に定義して記録される。情報ファイルは、情報ファイルの種別毎に異なるファイル名で記録される。この情報ファイル内には、ＣＰＵ１５が音声認識処理を行う際に音声データと情報項目との比較演算できるように、情報項目をカタカナ標記したデータが記録される。
【００３１】
図２は、外部メモリ１２に記録されるファイルシステムの一例を示したものである。図２には、ＤＣＩＭフォルダに設けられる３つのデータ収納用のフォルダ（１００ＲＩＣＯＨ〜１０２ＲＩＣＯＨ）と、ＴＥＭＰＬＡＴＥフォルダに記録される５つの情報ファイル（ＣＭＥＭＯ１．ＴＸＴ〜ＣＭＥＭＯ５．ＴＸＴ）とが示されている。
【００３２】
ＤＣＩＭディレクトリ内のフォルダ、例えば１００ＲＩＣＯＨの中には、ＤＣＦオブジェクトとなる記録ファイル（画像データ、音声データ、動画データ等）が格納される。記録ファイルは、Ｅｘｉｆ形式に準じて作成されたデータであり、Ｅｘｉｆとは，デジタルスチルカメラの画像ファイルフォーマット規格で，日本電子工業振興協会（電子協）が１９９５年１０月に策定したものである。Ｅｘｉｆ形式の記録ファイルには、主画像とサムネイル画像を書き込むエリアが規定されている。
【００３３】
ＴＥＭＰＬＡＴＥフォルダに記録される情報ファイルは、ＣＭＥＭＯｘ．ＴＸＴというファイル名で記録され、「ｘ」部分は情報ファイルの種別（項目名）によって異なる数字またはアルファベットが付される。図３は、ＣＭＥＭＯ４．ＴＸＴの内容を示したものである。「／／」部分はコメント行として利用されてデータとして認識されないので、実際の項目情報は、／／ｓｔａｒｔ〜／／Ｅｎｄの間に列挙されている内容となる。図４の左側に示されている内容は、液晶モニタ部１０に表示される項目情報であり、その右側に示されているカタカナ標記の内容は、音声識別の際にＣＰＵ１５が比較演算する際に参照する読み方を示したデータである。
【００３４】
図４は、情報ファイルより選択された項目情報に関するデータが登録されたＥｘｉｆファイルを示した一例であり、ＥｘｉｆのＵｓｅｒＣｏｍｍｅｎｔ  Ｔａｇに選択された項目情報が登録される。
【００３５】
次に、上述した構成からなるデジタルカメラ１において撮影の際に情報ファイルより特定の項目情報を選択して画像データのＥｘｉｆファイルへ登録する方法を図５、図８〜図１１に示すフローチャートを用いて説明する。
【００３６】
デジタルカメラ１が起動状態にあり、設定モードが撮影モードになっている場合には、図５のステップＳ１に示すように、ＣＰＵ１５は、撮像デバイス２によりモニタリングされている画像を液晶モニタ部１０に表示させるとともに、この画像に重ね合わせるようにして、情報データの種別（項目名）と、その種別毎に設定可能な項目情報を表示する。
【００３７】
図６は、ステップＳ１における液晶モニタ部１０の画面表示を示した図であり、液晶モニタ部１０の画面の左側には、「顧客名」、「工期」、「工事区」、「作業部位」、「完成度」からなる情報ファイルの種別（項目名）が表示され、各種別（項目名）の右側には、各種別に対応する項目情報が表示されている。「顧客名」に対応する情報データは上述したＣＭＥＭＯ１．ＴＸＴファイルであり、「工期」に対応する情報データはＣＭＥＭＯ２．ＴＸＴファイルであり、「工事区」に対応する情報データはＣＭＥＭＯ３．ＴＸＴファイルであり、「作業部位」に対応する情報データはＣＭＥＭＯ４．ＴＸＴファイルであり、「完成度」に対応する情報データはＣＭＥＭＯ５．ＴＸＴファイルである。図６においては、情報データの「完成度」種別３０がカーソル表示されている。
【００３８】
ユーザにより、ステップＳ２に示すように特定のキー操作（キー１入力）が行われると、ステップＳ３に示すように、Ｅｘｉｆファイルに登録させるための項目情報を情報ファイルの種別毎に選択するための情報選択モードにデジタルカメラの処理が移行する。情報選択モードへの移行により、ユーザはキー操作によってカーソル表示を移動させて種別（項目名）の選択を行うことが可能となるとともに、音声入力により種別毎に項目情報の選択を行うことが可能となる。
【００３９】
ステップＳ４に示すように、ユーザにより音声入力が行われると、ＣＰＵ１５はステップＳ５に示すように、入力された音声の解析を行い、キー操作により特定される種別（項目名）の項目情報と音声データとの比較演算を行うことによって類似する項目情報を選択し、ステップＳ６に示すように、類似性の高い項目情報を液晶モニタ部１０に表示させる。図７は、「完成度」種別３０の項目情報３１（「６割弱」、「６割強」、「６割」）が選択可能な状態で表示されている画面表示を示したものである。
【００４０】
その後、ＣＰＵ１５は、ステップＳ７に示すように、液晶モニタ部１０に表示させた項目情報より希望の項目情報があるか否かをキーの入力状態により判断し、ユーザのキー操作によって希望の項目情報があると判断した場合（ステップＳ８においてキー２入力があった場合）には、そのキー入力により項目情報を決定（確定）し、ステップＳ９に示すように、決定された項目情報をＥｘｉｆファイルに登録してデジタルカメラ１の処理を撮影モードに戻す。ＣＰＵ１５が希望の項目情報が無いと判断した場合（ステップＳ１０においてキー３入力があった場合）には、ステップＳ１１に示すように、音声入力処理を行う前にその種別に登録されていた項目情報を液晶モニタ部１０に表示し、デジタルカメラ１の処理を撮像モードに戻した後に、再度ステップＳ２に示す処理を行う。
【００４１】
このような処理をデジタルカメラ１で画像を撮影する際に実行することによって、外部メモリ１２のＴＥＭＰＬＡＴＥフォルダ内に記録される情報データの項目情報に応じて項目情報を簡易にＥｘｉｆファイルに登録することができるので、撮影後に画像データの分類・整理をＥｘｉｆファイルの内容に基づいて容易に行うことができる。さらに、音声認識により項目情報の選択を行うことができるので、ボタン操作処理を低減させることができるとともに、音声認識により類似性の高い項目情報が選択されるので、簡単な操作処理により簡易に各種情報を画像データに関連付けることが可能となる。
【００４２】
なお、情報ファイルより項目情報を選択してＥｘｉｆファイルに登録する方法は、上述した方法に限定されるものではない。例えば、図８に示すように、図５に示したステップＳ２の処理において、キー１入力処理に代えてレリーズボタンの押下処理（第１レリーズ押下）によりデジタルカメラ１の処理を情報選択モードに移行させ（ステップＳ２Ａ）、図５のステップＳ８の処理において、キー２入力処理に代えて、再度レリーズボタンの押下処理（第２レリーズ押下処理）が行われた場合（ステップＳ８Ａ）に、ステップＳ９に示す処理を実行し、図５のステップＳ１０において、キー３入力処理に代えてレリーズボタンがリリース（レリーズリリース）された場合（ステップＳ１０Ａ）に、ステップＳ１０に示す処理を実行するようにしても良い。
【００４３】
レリーズの押下／リリース処理によりデジタルカメラ１の処理を切り替えられるようにすることによって、複数のキーを設ける必要が無くなるとともに、操作性を向上させることが可能となる。また、レリーズボタンの処理を行う場合に、撮影を行う被写体を確認しながら項目情報を容易に選択・決定することが可能となる。
【００４４】
さらに、図９に示すように、図８のフローチャートに示したステップＳ６の後の処理として、ユーザがレリーズを押下状態で十字キー等を用いて上下選択を行うことによって情報データの項目情報を選択できるようにキー入力を許容する処理（ステップＳ６Ａ）を行っても良い。このような処理を追加することによって、レリーズを押した状態で上下キーを操作させてカーソル表示を移動させ、選択候補として表示される項目情報のうちいずれかを第二レリーズ押下処理（ステップＳ８Ａ）によって決定させることができるので、類似性のある複数の項目情報から簡単に希望する項目情報を選択することが可能となる。
【００４５】
また、図１０に示すように、図８のフローチャートに示したステップＳ２の後の処理として、ユーザによって特定のキーが押されているか否かの判断処理（ステップＳ２Ｂ）を追加し、特定のキーが押されている場合は、ステップＳ３〜ステップＳ７に示す情報選択モードの各処理を実行し、特定のキーが押されていない場合には、ステップＳ８Ａに示す処理へと処理を移行させるようにしても良い。このように処理を行うことによって、特定キーが押されていない場合には、音声入力処理が実行されないので、既に設定されている情報ファイルの項目情報を用いて複数の撮影を行う場合などに、音声認識が行われて情報データの項目情報が意図せず変更されてしまう等の事態を回避することが可能となる。また、特定キーを押下すことによって音声入力による項目情報の選択を行うことができるので音声識別による選択処理が簡単かつ確実となる。
【００４６】
以上、デジタルカメラ１を用いて本発明に係るデジタルカメラ装置の説明を行ったが、本発明に係るデジタルカメラ装置は上述したデジタルカメラ１の構成に限定されるものではない。また、本発明に係るデジタルカメラ装置は、デジタルカメラだけでなく、例えば、デジタルカメラ機能を備えたＰＤＡ（Ｐｅｒｓｏｎａｌ  Ｄｉｇｉｔａｌ  Ａｓｓｉｓｔａｎｔｓ）、デジタルカメラ機能付きパームトップＰＣ、デジタルカメラ機能付きノートＰＣ、デジタルカメラ機能付き電話機などであっても良い。
【００４７】
【発明の効果】
以上説明したように、請求項１に記載の発明により、音声入力によって項目情報を抽出し、Ｅｘｉｆファイルに登録させることができるの、キー入力等の操作を低減させることができ、より簡単な操作で画像データに項目情報を関連付けることが可能となる。
【００４８】
請求項２に記載の発明により、抽出された項目情報より分類・整理に適した項目情報を確実にＥｘｉｆファイルに登録することができるので、分類・整理作業をより効率的に行うことが可能となる。
【００４９】
また、請求項３に記載の発明により、撮影時にレリーズのトリガにより情報項目の確定が行えるので、撮影の際に撮影対象を確認しながら関連付けが行われる項目情報を確定することが可能となる。
【００５０】
さらに、請求項４に記載の発明により前記項目情報抽出手段によって類似する前記項目情報が複数抽出される場合には、希望する項目情報をより簡単に選択し特定することが可能となる。とくに、請求項５に記載の発明により、音声入力により希望する項目情報を選択し特定することが可能となるので、キーによる操作を一層低減させることができ、操作性の向上を図ることが可能となる。
【００５１】
また、請求項６に記載の発明により、音声入力処理によって、意図しない項目情報が選択されてＥｘｉｆファイルに登録される事態を回避することが可能となる。
【図面の簡単な説明】
【図１】図１は、本発明に係るデジタルカメラの構成を示したブロック図である。
【図２】図２は、本発明に係るデジタルカメラの外部メモリに記録されるファイルシステム形式を例示した図である。
【図３】図３は、情報ファイルの内容を例示した図である。
【図４】図４は、Ｅｉｉｆファイルの構成を例示した図である。
【図５】本発明に係るデジタルカメラにおけるＥｉｉｆファイルへの登録処理を示した第一のフローチャートである。
【図６】情報ファイルの種別がカーソル表示されている液晶モニタ部の画面表示を示した図である。
【図７】情報ファイルの項目情報がカーソル表示されている液晶モニタ部の画面表示を示した図である。
【図８】本発明に係るデジタルカメラにおけるＥｉｉｆファイルへの登録処理を示した第二のフローチャートである。
【図９】本発明に係るデジタルカメラにおけるＥｉｉｆファイルへの登録処理を示した第三のフローチャートである。
【図１０】本発明に係るデジタルカメラにおけるＥｉｉｆファイルへの登録処理を示した第四のフローチャートである。
【符号の説明】
１  デジタルカメラ
２  撮像デバイス
４  デジタル信号処理部
５  圧縮／伸張処理部
９  表示制御部
１０  液晶モニタ部
１５  ＣＰＵ
１１  メモリ制御部
１２  外部メモリ
１３  マイク（マイクロフォン）
【図１】
2004289309.tif 000003
【図２】
2004289309.tif 000004
【図３】
2004289309.tif 000005
【図４】
2004289309.tif 000006
【図５】
2004289309.tif 000007
【図６】
2004289309.tif 000008
【図７】
2004289309.tif 000009
【図８】
2004289309.tif 000010
【図９】
2004289309.tif 000011
【図１０】
2004289309.tif 000012